【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  伝送中断を受けることがある、電力制御アルゴリズムを用いる移動無線通信システムの性能を改善するための方法であって、
伝送中断後に伝送が再開されたときに、前記伝送中断が電力制御に及ぼす影響をよりよく補償するように、前記電力制御アルゴリズムが好ましく実施される好ましい形式を決定するステップと、
前記電力制御アルゴリズムをこうして決定された形式で実施するステップとを含む方法。
【請求項２】  前記好ましい形式が、
伝送が再開されるときに、所与の持続時間にわたって前記電力制御アルゴリズムの少なくとも１つのパラメータが修正される、少なくとも１つの修正された形式と、
伝送が再開されるときに、前記電力制御アルゴリズムのいかなるパラメータも修正されない、修正されない形式と、
のうちから好ましい形式として決定される請求項１に記載の方法。
【請求項３】  前記修正された形式および修正されない形式が、適合に必要な様々な条件に前記アルゴリズムを適合させるように前記アルゴリズムが実施されうる、様々な形式を含む請求項２に記載の方法。
【請求項４】  前記の条件が、環境条件および／または移動速度を含む請求項３に記載の方法。
【請求項５】  前記少なくとも１つのパラメータが、前記電力制御アルゴリズムの電力制御ステップサイズである請求項２に記載の方法。
【請求項６】  前記少なくとも１つの修正されたパラメータが、増加させた電力制御ステップサイズである請求項５に記載の方法。
【請求項７】  前記移動無線通信システムが、ＣＤＭＡタイプである請求項１に記載の方法。
【請求項８】  前記電力制御が、前記移動無線通信システムのアップリンクの伝送方向で実行される請求項１に記載の方法。
【請求項９】  前記電力制御が、前記移動無線通信システムのダウンリンクの伝送方向で実行される請求項１に記載の方法。
【請求項１０】  前記電力制御アルゴリズムが、送信エンティティおよび受信エンティティを含み、前記好ましい形式が、前記エンティティのうちの一方で決定され、これがシグナリング情報によって、前記エンティティのうちのもう一方に送信され、前記エンティティの前記もう一方によって使用される請求項１に記載の方法。
【請求項１１】  前記シグナリング情報が、伝送中断コマンドと共に送信される請求項１０に記載の方法。
【請求項１２】  前記シグナリング情報が、修正されない形式および修正された形式のどちらが好ましいかを指示するビットを含む請求項１０に記載の方法。
【請求項１３】  前記シグナリング情報が、複数の修正された形式のうちのどれが好ましいかを指示する別のビットを含む請求項１２に記載の方法。
【請求項１４】  前記電力制御アルゴリズムが、送信エンティティおよび受信エンティティを含み、前記好ましい形式が、前記エンティティのうちの一方により決定され、もう一方のエンティティに対してシグナリングを行わずにこのエンティティによって局所的に使用される、請求項１に記載の方法。
【請求項１５】  請求項１に記載の方法を、前記アップリンクの伝送方向で実行するための移動無線通信ネットワークエンティティであって、
伝送中断後に伝送が再開されたときに、前記伝送中断が電力制御に及ぼす影響をよりよく補償するように、前記電力制御アルゴリズムがよりよく実施される好ましい形式を決定する手段と、
対応するシグナリング情報を、移動局に送信するための手段とを備える移動無線通信ネットワークエンティティ。
【請求項１６】  請求項１に記載の方法を前記アップリンクの伝送方向で実行するための移動局であって、
伝送中断後に伝送が再開されたときに、前記伝送中断が電力制御に及ぼす影響をよりよく補償するように、前記電力制御アルゴリズムがよりよく実施される好ましい形式に対応するシグナリング情報を、移動無線通信ネットワークエンティティから受信するための手段を備える移動局。
【請求項１７】  請求項１に記載の方法を前記アップリンクの伝送方向で実行するための移動局であって、
伝送中断後に伝送が再開されたときに、前記伝送中断が電力制御に及ぼす影響をよりよく補償するように、前記電力制御アルゴリズムがよりよく実施される好ましい形式を決定する手段を備える移動局。
【請求項１８】  請求項１に記載の方法を前記ダウンリンクの伝送方向で実行するための移動局であって、
伝送中断後に伝送が再開されたときに、前記伝送中断が電力制御に及ぼす影響をよりよく補償するように、前記電力制御アルゴリズムがよりよく実施される好ましい形式を決定する手段と、
対応するシグナリング情報を移動無線通信ネットワークエンティティに送信する手段とを備える移動局。
【請求項１９】  請求項１に記載の方法を前記ダウンリンクの伝送方向で実行するための移動無線通信ネットワークエンティティであって、
伝送中断後に伝送が再開されたときに、前記伝送中断が電力制御に及ぼす影響をよりよく補償するように、前記電力制御アルゴリズムがよりよく実施される好ましい形式に対応するシグナリング情報を、移動局から受信するための手段を備える移動無線通信ネットワークエンティティ。
【請求項２０】  請求項１に記載の方法を前記ダウンリンクの伝送方向で実行するための移動無線通信ネットワークエンティティであって、
伝送中断後に伝送が再開されたときに、前記伝送中断が電力制御に及ぼす影響をよりよく補償するように、前記電力制御アルゴリズムがよりよく実施される好ましい形式を決定する手段を備える移動無線通信ネットワークエンティティ。
【請求項２１】  請求項１６、１７、１８のいずれか一項に記載の少なくとも１つの移動局を含む、移動無線通信システム。
【請求項２２】  請求項１５、１９、２０のいずれか一項に記載の少なくとも１つの移動無線通信ネットワークエンティティを含む、移動無線通信システム。
【請求項２３】  電力制御アルゴリズムを用いる移動無線通信システムの性能を改善するための方法であって、該方法が、
伝送中断後に伝送が再開されたときに、前記伝送中断が電力制御に及ぼす影響をよりよく補償するように、前記電力制御アルゴリズムがよりよく実施される好ましい形式をシグナリングするステップを含み、前記好ましい形式が、
伝送が再開されるときに、所与の持続時間にわたって電力制御ステップサイズが修正される、修正された形式と、
伝送が再開されるときに、電力制御ステップサイズが修正されない、修正されない形式と、
のうちから決定される、方法。
【請求項２４】  シグナリングされる情報が、伝送中断コマンドと共にシグナリングされる、請求項２３に記載の方法。
【請求項２５】  シグナリングされる情報が、修正されない形式および修正された形式のどちらが好ましいかを指示するビットを含む、請求項２３に記載の方法。
【請求項２６】  前記電力制御ステップサイズが、増大した電力制御ステップサイズである、請求項２３に記載の方法。
【請求項２７】  前記増大した電力制御ステップサイズが、前記修正されない電力制御サイズの２倍に等しい、請求項２６に記載の方法。
【請求項２８】  前記所与の持続時間が、伝送中断期間に等しい、請求項２３に記載の方法。
【請求項２９】  アップリンク伝送方向で電力制御アルゴリズムを用いる移動無線通信システムのための移動局であって、該移動局が、
伝送中断後に伝送が再開されたときに、前記伝送中断が電力制御に及ぼす影響をよりよく補償するように、前記電力制御アルゴリズムがよりよく実施される好ましい形式をシグナリングする情報を受信する手段を含み、前記好ましい形式が、
伝送が再開されるときに、所与の持続時間にわたって電力制御ステップサイズが修正される、修正された形式と、
伝送が再開されるときに、電力制御ステップサイズが修正されない、修正されない形式と、
のうちから決定される、移動局。
【請求項３０】  前記情報が、伝送中断コマンドと共にシグナリングされる、請求項２９に記載の移動局。
【請求項３１】  前記情報が、修正されない形式および修正された形式のどちらが好ましいかを指示するビットを含む、請求項２９に記載の移動局。
【請求項３２】  前記電力制御ステップサイズが、増大した電力制御ステップサイズである、請求項２９に記載の移動局。
【請求項３３】  前記増大した電力制御ステップサイズが、前記修正されない電力制御サイズの２倍に等しい、請求項３２に記載の移動局。
【請求項３４】  前記所与の持続時間が、伝送中断期間に等しい、請求項２９に記載の移動局。
【請求項３５】  アップリンク伝送方向で電力制御アルゴリズムを用いる移動無線通信システムのための移動無線通信ネットワークエンティティであって、該移動無線通信ネットワークエンティティが、
伝送中断後に伝送が再開されたときに、前記伝送中断が電力制御に及ぼす影響をよりよく補償するように、前記電力制御アルゴリズムがよりよく実施される好ましい形式をシグナリングする情報を伝送する手段を含み、前記好ましい形式が、
伝送が再開されるときに、所与の持続時間にわたって電力制御ステップサイズが修正される、修正された形式と、
伝送が再開されるときに、電力制御ステップサイズが修正されない、修正されない形式と、
のうちから決定される、移動無線通信ネットワークエンティティ。
【請求項３６】  前記情報が、伝送中断コマンドと共にシグナリングされる、請求項３５に記載の移動無線通信ネットワークエンティティ。
【請求項３７】  前記情報が、修正されない形式および修正された形式のどちらが好ましいかを指示するビットを含む、請求項３５に記載の移動無線通信ネットワークエンティティ。
【請求項３８】  前記電力制御ステップサイズが、増大した電力制御ステップサイズである、請求項３５に記載の移動無線通信ネットワークエンティティ。
【請求項３９】  前記増大した電力制御ステップサイズが、前記修正されない電力制御サイズの２倍に等しい、請求項３８に記載の移動無線通信ネットワークエンティティ。
【請求項４０】  前記所与の持続時間が、伝送中断期間に等しい、請求項３５に記載の移動無線通信ネットワークエンティティ。
【請求項４１】  請求項２９に記載の少なくとも１つの移動局を含む、移動無線通信システム。
【請求項４２】  請求項３５に記載の少なくとも１つの移動無線通信ネットワークエンティティを含む、移動無線通信システム。